(57)【特許請求の範囲】
【請求項１】
目盛り可変装置と該目盛り可変装置から出力される数値により制御される映像音声再生装置とを有した目盛り可変システムであって、
前記目盛り可変装置は、目盛りを表示する目盛り表示手段と、前記目盛りの表示位置情報と前記目盛りに対応した数値とを含む複数種類の目盛り情報を記憶する記憶手段と、前記目盛り情報が選択される目盛り情報選択手段と、前記目盛りにおける任意の位置が指定される位置指定手段と、指定された目盛り表示位置に対応する数値を入力する目盛り定め用数値入力手段と、前記目盛り情報が選択されたとき、選択された目盛り情報に基づいて前記目盛り表示手段に目盛りを表示させ、前記目盛りにおける任意の位置が指定されたとき、指定された位置に対応した前記映像音声再生装置を制御するための数値を決定するとともに該映像音声再生装置へ出力する制御手段とを備え、
前記制御手段が、前記位置指定手段によって指定された目盛り表示位置と前記目盛り定め用数値入力手段によって入力された数値とに基づいて前記目盛り情報を生成し、前記記憶手段に登録することを特徴とする目盛り可変システム。
【請求項２】
前記記憶手段に記憶された目盛り情報から目盛り情報選択手段によって選択された目盛り情報を読み出すことにより、前記目盛り表示手段に目盛りを表示することを特徴とする請求項１に記載の目盛り可変システム。
【請求項３】
前記目盛り表示手段が、前記目盛り情報選択手段によって選択された目盛り情報に基づいて目盛りを表示し、前記制御手段が、前記位置指定手段によって指定された目盛り表示位置と前記目盛り定め用数値入力手段によって入力された数値とに基づいて目盛り情報を生成し、前記記憶手段に登録されている前記目盛り情報を更新することを特徴とする請求項１または請求項２に記載の目盛り可変システム。
【請求項４】
前記制御手段が、前記目盛り情報を生成する際、未指定の目盛り表示位置に対応した数値を算出することを特徴とする請求項１乃至請求項３のいずれかに記載の目盛り可変システム。
【請求項５】
前記目盛り表示手段が表示する画像情報を前記目盛り表示手段の画面上で入力する画像情報入力手段を備えたことを特徴とする請求項１乃至請求項４のいずれかに記載の目盛り可変システム。
【請求項６】
任意の目盛り表示位置を指定する表示位置指定ステップと、指定された目盛り表示位置に対応する数値を入力する目盛り定め用数値入力ステップと、指定された目盛り表示位置と入力された数値とに基づいて目盛りの表示位置情報と前記目盛りに対応した数値とを含む目盛り情報を生成する目盛り情報生成ステップと、生成された目盛り情報を記憶する目盛り情報記憶ステップとを備えたことを特徴とする目盛り可変方法。
【請求項７】
前記メモリ情報記憶ステップにて記憶された目盛り情報から選択された目盛り情報を読み出す目盛り情報読み出しステップと、読み出されたメモリ情報を表示部に表示する目盛り情報表示ステップとを備えたことを特徴とする請求項６に記載の目盛り可変方法。
【請求項８】
目盛りの表示位置情報と前記目盛りに対応した数値とを含む複数種類の目盛り情報の中から特定種類の目盛り情報を選択する目盛り情報選択ステップと、選択された目盛り情報に基づいて目盛りを表示する目盛り表示ステップと、任意の目盛り表示位置を指定する表示位置指定ステップと、指定された目盛り表示位置に対応する数値を入力する目盛り定め用数値入力ステップと、指定された目盛り表示位置と入力された数値とに基づいて目盛り情報を生成する目盛り情報生成ステップと、選択された目盛り情報を生成された目盛り情報によって更新する目盛り情報更新ステップとを備えたことを特徴とする目盛り可変方法。
【発明の詳細な説明】
【０００１】
【発明の属する技術分野】
本発明は、操作者が意図通りに操作をすることができる目盛り可変装置および目盛り可変方法に関する。
【０００２】
【従来の技術】
従来、図１０に示すような固定の目盛りを備えた音量調整装置を用いて、スピーカ等から出力される音のレベルを調整するようになっていた。図１０の（ａ）は、一般の音量調整用の目盛り１００１を示し、定格レベル付近（０デシベル付近）の微調整が重要な場合に用いられる。また、図１０の（ｂ）は、演劇における音量調整用の目盛り１００２を示し、広い範囲（０デシベルから−８０デシベルまで）にわたって調整する必要がある場合に用いられる。なお、フェーダ１０1４は、音量調整装置の操作者によって上下方向に操作される。これらの目盛りは、一般に、印刷されており、用途に応じて使い分けるようになっていた。例えば、一般の音量調整を行うのであれば図１０の（ａ）に示すような目盛り１００１を備えた装置を用い、演劇における音量調整を行うのであれば図１０の（ｂ）に示すような目盛り１００２を備えた装置を用いるようになっていた。
【０００３】
【発明が解決しようとする課題】
しかしながら、このような従来の固定の目盛りを備えた装置では、操作者が用途に応じて目盛りのパターンを切り換えることができなかった。例えば、様々な催しが行われる多目的ホールにおいては、定格レベル付近の微調整が重要な場合と、広い範囲にわたって調整する必要がある場合とで、異なる種類の目盛りパターンを用いる必要があるが、このような複数種類の目盛りを備えた装置がない。また、仮に複数種類の目盛りを備えた装置があったとしても、広いスペースが必要になる。したがって、操作者は、予め用意されたワンパターンの目盛りを用いるしかなく、操作者が用途に応じて目盛りのパターンを切り換えることができないので、操作者が意図通りに操作をすることができないという問題があった。
【０００４】
本発明はこのような問題を解決するためになされたもので、操作者が意図通りに操作をすることができる目盛り可変装置および目盛り可変方法を提供する。
【０００５】
【課題を解決するための手段】
本発明の目盛り可変システムは、目盛り可変装置と該目盛り可変装置から出力される数値により制御される映像音声再生装置とを有した目盛り可変システムであって、前記目盛り可変装置は、目盛りを表示する目盛り表示手段と、前記目盛りの表示位置情報と前記目盛りに対応した数値とを含む複数種類の目盛り情報を記憶する記憶手段と、前記目盛り情報が選択される目盛り情報選択手段と、前記目盛りにおける任意の位置が指定される位置指定手段と、指定された目盛り表示位置に対応する数値を入力する目盛り定め用数値入力手段と、前記目盛り情報が選択されたとき、選択された目盛り情報に基づいて前記目盛り表示手段に目盛りを表示させ、前記目盛りにおける任意の位置が指定されたとき、指定された位置に対応した前記映像音声再生装置を制御するための数値を決定するとともに該映像音声再生装置へ出力する制御手段とを備え、前記制御手段が、前記位置指定手段によって指定された目盛り表示位置と前記目盛り定め用数値入力手段によって入力された数値とに基づいて前記目盛り情報を生成し、前記記憶手段に登録する構成を有している。
【０００６】
この構成により、操作者が用途に応じて目盛りのパターンを容易に切り換えることができ、操作者が意図通りに操作をすることができる。例えば、定格レベル付近等の特定領域において微調整が重要な場合と、定格レベル付近から低レベルまでの広い範囲にわたって調整する必要がある場合とで、操作者が用途に応じて目盛りのパターンを容易に切り換えることができる。また、操作者が自身の挙動に合わせた目盛りのパターンを用途に応じて容易に作成して登録することができ、したがって、操作者が意図通りに操作をすることができる。
【０００７】
本発明の目盛り可変システムは、前記記憶手段に記憶された目盛り情報から目盛り情報選択手段によって選択された目盛り情報を読み出すことにより、前記目盛り表示手段に目盛りを表示する構成を有している。
【０００８】
この構成により、操作者が自身の挙動に合わせた目盛りのパターンを用途に応じて容易に作成して登録することができ、したがって、操作者が意図通りに操作をすることができる。
【０００９】
本発明の目盛り可変システムは、前記目盛り表示手段が、前記目盛り情報選択手段によって選択された目盛り情報に基づいて目盛りを表示し、前記制御手段が、前記位置指定手段によって指定された目盛り表示位置と前記目盛り定め用数値入力手段によって入力された数値とに基づいて目盛り情報を生成し、前記記憶手段に登録されている前記目盛り情報を更新する構成を有している。
【００１０】
この構成により、操作者が自身の挙動に合わせた目盛りのパターンを必要に応じて容易に編集することができ、したがって、操作者が意図通りに操作をすることができる。
【００１１】
本発明の目盛り可変システムは、前記制御手段が、前記目盛り情報を生成する際、未指定の目盛り表示位置に対応した数値を算出する構成を有している。
【００１２】
この構成により、未指定の目盛り表示位置に対応した数値が演算によって得られるので、操作者は、少ない操作回数で、用途に応じた目盛りのパターンを容易に作成することができる。
【００１３】
本発明の目盛り可変システムは、前記目盛り表示手段が表示する画像情報を前記目盛り表示手段の画面上で入力する画像情報入力手段を備えた構成を有している。
【００１４】
この構成により、操作者は、目盛りとともに表示する画像を入力することができ、自身が入力した画像を見ながら操作することができる。
【００１５】
本発明の目盛り可変方法は、任意の目盛り表示位置を指定する表示位置指定ステップと、指定された目盛り表示位置に対応する数値を入力する目盛り定め用数値入力ステップと、指定された目盛り表示位置と入力された数値とに基づいて目盛りの表示位置情報と前記目盛りに対応した数値とを含む目盛り情報を生成する目盛り情報生成ステップと、生成された目盛り情報を記憶する目盛り情報記憶ステップとを備えた構成を有している。
【００１６】
この構成により、操作者が用途に応じて目盛りのパターンを容易に切り換えることができ、操作者が意図通りに操作をすることができる。例えば、定格レベル付近等の特定領域において微調整が重要な場合と、定格レベル付近から低レベルまでの広い範囲にわたって調整する必要がある場合とで、操作者が用途に応じて目盛りのパターンを容易に切り換えることができる。また、操作者が自身の挙動に合わせた目盛りのパターンを用途に応じて容易に作成して登録することができ、したがって、操作者が意図通りに操作をすることができる。
【００１７】
本発明の目盛り可変方法は、前記メモリ情報記憶ステップにて記憶された目盛り情報から選択された目盛り情報を読み出す目盛り情報読み出しステップと、読み出されたメモリ情報を表示部に表示する目盛り情報表示ステップとを備えた構成を有している。
【００１８】
この構成により、操作者が自身の挙動に合わせた目盛りのパターンを用途に応じて容易に作成して登録することができ、したがって、操作者が意図通りに操作をすることができる。
【００１９】
本発明の目盛り可変方法は、目盛りの表示位置情報と前記目盛りに対応した数値とを含む複数種類の目盛り情報の中から特定種類の目盛り情報を選択する目盛り情報選択ステップと、選択された目盛り情報に基づいて目盛りを表示する目盛り表示ステップと、任意の目盛り表示位置を指定する表示位置指定ステップと、指定された目盛り表示位置に対応する数値を入力する目盛り定め用数値入力ステップと、指定された目盛り表示位置と入力された数値とに基づいて目盛り情報を生成する目盛り情報生成ステップと、選択された目盛り情報を生成された目盛り情報によって更新する目盛り情報更新ステップとを備えた構成を有している。
【００２０】
この構成により、操作者が自身の挙動に合わせた目盛りのパターンを必要に応じて容易に編集することができ、したがって、操作者が意図通りに操作をすることができる。
【００２１】
【発明の実施の形態】
以下、本発明の実施の形態について、図面を用いて説明する。
【００２２】
（第１の実施の形態）
図１は、本発明の第１の実施の形態の目盛り可変装置を示すブロック図である。
【００２３】
図１において、目盛り可変装置１１０は、目盛りを表示する目盛り表示手段１１１と、目盛りの表示位置を示す表示位置情報と目盛りに対応した数値とを含む複数種類の目盛り情報を記憶する記憶手段１１２と、記憶手段１１２に記憶された複数種類の目盛り情報の中から特定種類の目盛り情報の選択を受け付ける目盛り情報選択手段１１３と、目盛り表示手段１１１によって表示された目盛りにおける任意の位置の指定を受け付ける位置指定手段１１４と、目盛り情報選択手段１１３によって目盛り情報が選択されたとき、選択された目盛り情報に基づいて目盛り表示手段１１１に目盛りを表示させ、位置指定手段１１４によって任意の位置が指定されたとき、指定された位置に対応した数値を決定する制御手段１１５とを備える。なお、制御手段１１５によって決定された数値は、出力端子を介し、映像および音声を再生する映像音声再生手段１２０に出力される。映像音声再生手段１２０は、目盛り可変装置１１０から出力された数値に基づいて音量を調整する。例えば、映像音声再生手段１２０は、目盛り可変装置１１０から出力された数値に応じて音声信号のレベルを変化させる。
【００２４】
また、目盛り可変装置１１０は、目盛り定めをするための数値が入力される目盛り定め用数値入力手段１１６を備え、位置指定手段１１４が、任意の目盛り表示位置の指定を受け付け、目盛り定め用数値入力手段１１６が、指定された目盛り表示位置に対応する数値の入力を受け付け、制御手段１１５が、位置指定手段１１４によって指定された目盛り表示位置と目盛り定め用数値入力手段１１６によって入力された数値とに基づいて目盛り情報を生成し、生成された目盛り情報を記憶手段１１２に登録するようになっている。
【００２５】
また、目盛り可変装置１１０は、目盛り情報選択手段１１３が、記憶手段１１２に登録された複数種類の目盛り情報の中から特定種類の目盛り情報の選択を受け付け、目盛り表示手段１１１が、選択された目盛り情報に基づいて目盛りを表示し、位置指定手段１１４が、任意の目盛り表示位置の指定を受け付け、目盛り定め用数値入力手段１１６が、指定された目盛り表示位置に対応する数値の入力を受け付け、制御手段１１５が、位置指定手段１１４によって指定された目盛り表示位置と目盛り定め用数値入力手段１１６によって入力された数値とに基づいて目盛り情報を生成し、目盛り情報選択手段１１３によって選択された記憶手段１１２内の目盛り情報を生成された目盛り情報によって更新するようになっている。
【００２６】
また、目盛り可変装置１１０は、制御手段１１５が、目盛り情報を生成する際、位置指定手段１１４によって未だ指定されていない、未指定の目盛り表示位置に対応した数値を算出するようになっている。具体的には、例えば、指定された目盛り表示位置がひとつの場合には、予め決められた目盛り表示位置（例えば、最上位の目盛り表示位置）に予め決められた数値（例えば‘０’）が対応することとして、未指定の目盛り表示位置に対応した数値を算出する。また、例えば、特定の２点の目盛り表示位置が指定されるとともに、これらの２点の目盛り表示位置に対応した数値がそれぞれ入力されたとき、それらの２点を除く目盛り表示位置に対応する数値を制御手段１１５が算出する。また、例えば定格位置付近の微調整が重要で、この定格位置付近の幅を広くする必要がある場合、目盛り表示位置を数点指定して数値を入力するのみで所望の目盛り定めをすることができる。また、細かい間隔で目盛り表示位置を指定して数値を入力することにより、例えば、互いに離れた複数の領域のそれぞれにおいて幅を広くするような目盛り定めもすることができる。
【００２７】
図２は、目盛り表示手段１１１の例を示す説明図である。図２において、目盛り表示手段１１１は、選択された目盛り情報に基づいて、数値が‘０’の定格位置の付近において微調整が必要な用途に応じた目盛りを表示している。また、目盛り表示手段１１１は、目盛り表示位置に対応した数値を表示している。フェーダ２１４は、位置指定手段１１４の一部を構成するものであり、操作者が上下方向に操作することにより位置指定を行うようになっている。
【００２８】
図３は、目盛り情報選択手段１１３および目盛り定め用数値入力手段１１６を示す説明図である。図３において、目盛り情報選択手段１１３は、目盛り情報を記憶手段１１２から読み出すことを宣言するリードキー３３１と、目盛り情報を記憶手段１１２に書き込むことを宣言するライトキー３３２と、目盛り情報の識別情報を表示する識別情報表示器３３３と、識別情報表示器３３３に表示される識別情報の値を上下するための上下キー３３４、３３５と、識別情報表示器３３３に表示された識別情報に関連付けて目盛り情報を記憶するとき等に押すエンターキー３３６とを有する。
【００２９】
また、目盛り定め用数値入力手段１１６は、数字キー等からなる複数のキー３４１と、キー３４１によって入力された数値を表示する数値表示器３４２とを有する。なお、キー３４１には、数字キーのほかに、数値の加算、減算、乗算および除算がそれぞれ指示される演算キー３４３、３４４、３４５、３４６と、小数点が入力される小数点キー３４７とが設けられている。制御手段１１５は、これらの演算キー３４３、３４４、３４５、３４６が押されたとき、数値の演算を行い、演算結果を数値表示器３４２に表示する。また、小数点キー３４７が押された後の数値を小数点以下として扱う。
【００３０】
図４は、目盛り情報の例を示す説明図である。図４において、複数種類の目盛り情報テーブル４１０は、識別情報（図４に示す例においては識別番号）と関連付けされて記憶手段１１２に記憶される。また、それぞれの目盛り情報は、目盛りの表示位置を示す表示位置情報と目盛り表示位置に対応した数値とを含む。例えば、識別番号‘１’の目盛り情報４１１は、最上位の目盛り表示位置を０％とし、最下位の目盛り表示位置を１００％とし、ちょうど１０％毎に目盛り表示位置に対応した数値を記憶したものである。なお、実際には、表示位置情報が示す目盛り表示位置の間隔は等間隔である必要はない。また、図４において、識別番号‘１’の目盛り情報４１１が表示位置情報と数値とのみからなる例を示しているが、これら以外の情報（例えば画像情報）を目盛り情報４１０が含むようにしてもよい。
【００３１】
次に、目盛り可変装置１１０の動作について説明する。
【００３２】
図５は、目盛り表示処理および数値決定処理を示すフローチャートである。なお、図５に示す一連のフローは、記憶手段１１２に記録されたプログラムによって、制御手段１１５が実行するようになっている。
【００３３】
まず、目盛り情報の選択を受け付ける（Ｓ５０１）。具体的には、操作者が、例えば図３の目盛り情報選択手段１１３のリードキー３３１を押し、上下キー３３４、３３５によって識別情報表示器３３３に表示される識別情報（図３に示す例においては識別番号）を変化させた後にエンターキー３３６を押すことによって、識別情報を入力する操作を行い、制御手段１１５が、入力された識別情報を選択された目盛り情報の識別情報として受け付ける。
【００３４】
次に、選択された目盛り情報を記憶手段１１２から読み出す（Ｓ５０２）。具体的には、制御手段１１５が、入力された識別情報に関連付けされた目盛り情報を検索して記憶手段１１２から読み出す。
【００３５】
次に、選択された目盛り情報に基づいて目盛り表示手段１１１に目盛りを表示させる（Ｓ５０３）。具体的には、例えば図２に示すように、選択された目盛り情報が示す複数の目盛り表示位置に目盛りのラインを表示するとともに、複数の目盛り表示位置の間にも目盛りのラインを表示する。また、例えば図２に示すように、目盛り表示位置に対応した数値を目盛りのラインの横に表示する。
【００３６】
次に、目盛り表示手段１１１によって表示された目盛りにおける任意の位置の指定を受け付ける（Ｓ５０４）。具体的には、操作者が、例えば図２のフェーダ２１４を上下方向に操作して任意の位置を指定し、制御手段１１５が、位置情報を受け付ける。
【００３７】
次に、指定された位置に対応した数値を決定する（Ｓ５０５）。具体的には、位置情報を数値に変換し、この数値を出力端子を介して映像音声再生手段１２０に出力する。
【００３８】
操作者の何らかの操作によって終了が指示されるかどうかを判断し（Ｓ５０６）、終了が指示されなかった場合には、再度、表示位置の指定を受け付ける（Ｓ５０４）。
【００３９】
図６は、目盛り情報登録処理を示すフローチャートである。なお、図６に示す一連のフローは、記憶手段１１２に記録されたプログラムによって、制御手段１１５が実行するようになっている。
【００４０】
まず、記憶手段１１２に登録する目盛り情報の識別情報の入力を受け付ける（Ｓ６０１）。具体的には、操作者が、例えば図３の目盛り情報選択手段１１３のライトキー３３２を押し、上下キー３３４、３３５によって識別情報表示器３３３に表示される識別情報（図３に示す例においては識別番号）を変化させて識別情報を入力する操作を行い、制御手段１１５が、入力された識別情報を受け付ける。
【００４１】
次に、目盛り表示位置の指定を受け付ける（Ｓ６０２）。具体的には、操作者が、例えば図２のフェーダ２１４によって、目盛り表示位置を指定する操作を行い、制御手段１１５が、指定された目盛り表示位置を示す表示位置情報を受け付ける。
【００４２】
次に、指定された目盛り表示位置を目盛り表示手段１１１に点滅して表示させる（Ｓ６０３）。
【００４３】
次に、指定された目盛り表示位置に対応する数値の入力を受け付ける（Ｓ６０４）。具体的には、操作者が、例えば図３の目盛り定め用数値入力手段１１６によって、目盛り表示手段１１１に点滅して表示された目盛り表示位置に対応する数値を入力する操作を行い、制御手段１１５が、入力された数値を受け付ける。
【００４４】
次に、指定された目盛り表示位置と入力された数値とに基づいて目盛り情報を生成する（Ｓ６０５）。目盛り情報を生成する際、未指定の目盛り表示位置に対応した数値は演算して得る。なお、指定された目盛り表示位置がひとつの場合、予め決められた目盛り表示位置（例えば最上位の目盛り表示位置）に予め決められた数値（例えば‘０’）が対応することとして、未指定の目盛り表示位置にそれぞれ対応した数値を算出する。
【００４５】
次に、生成された目盛り情報に基づいて目盛りを表示させる（Ｓ６０６）。具体的には、例えば図２に示すように、生成された目盛り情報が示す複数の目盛り表示位置に目盛りのラインを表示するとともに、複数の目盛り表示位置の間にも目盛りのラインを表示する。また、例えば図２に示すように、目盛り表示位置に対応した数値を目盛りのラインの横に表示する。
【００４６】
数値入力を続ける場合には、目盛り表示位置の指定を受け付けるステップ（Ｓ６０２）に戻る（Ｓ６０７）。
【００４７】
数値の入力を終了する場合には、生成された目盛り情報を識別情報に関連付けて記憶手段１１２に登録する（Ｓ６０８）。具体的には、操作者が、例えば図３に示すエンターキー３３６を押すことによって目盛り情報を登録する操作を行い、制御手段１１５が、生成された目盛り情報を識別情報に関連付けて記憶手段１１２に登録する。
【００４８】
図７は、目盛り情報編集処理を示すフローチャートである。なお、図７に示す一連のフローは、記憶手段１１２に記録されたプログラムによって、制御手段１１５が実行するようになっている。
【００４９】
まず、目盛り情報の選択を受け付ける（Ｓ７０１）。具体的には、操作者が、例えば図３の目盛り情報選択手段１１３のリードキー３３１を押し、上下キー３３４、３３５によって識別情報表示器３３３に表示される識別情報（図３に示す例においては識別番号）を変化させて識別情報を入力する操作を行い、制御手段１１５が、入力された識別情報を受け付ける。
【００５０】
次に、選択された目盛り情報を記憶手段１１２から読み出す（Ｓ７０２）。具体的には、制御手段１１５が、入力された識別情報に関連付けされた目盛り情報を検索して記憶手段１１２から読み出す。
【００５１】
次に、選択された目盛り情報に基づいて目盛り表示手段１１１に目盛りを表示させる（Ｓ７０３）。具体的には、例えば図２に示すように、選択された目盛り情報が示す複数の目盛り表示位置に目盛りを示すラインを表示するとともに、複数の目盛り表示位置の間にも目盛りのラインを表示する。また、目盛り表示位置に対応した数値を目盛りのラインの横に表示する。
【００５２】
次に、目盛り情報を編集する宣言を受け取る（Ｓ７０４）。具体的には、操作者が、例えば図３の目盛り情報選択手段１１３のライトキー３３２を押す。
【００５３】
次に、目盛り表示手段１１１によって表示された目盛りにおける目盛り表示位置の指定を受け付ける（Ｓ７０５）。具体的には、操作者が、例えば図２のフェーダ２１４を操作して、目盛り表示位置を指定し、制御手段１１５が、指定された表示位置情報を受け付ける。
【００５４】
次に、指定された目盛り表示位置を目盛り表示手段１１１に点滅して表示させる（Ｓ７０６）。
【００５５】
次に、指定された目盛り表示位置に対応する数値の入力を受け付ける（Ｓ７０７）。具体的には、操作者が、例えば図３の目盛り定め用数値入力手段１１６によって、目盛り表示手段１１１に点滅して表示された目盛り表示位置に対応する数値を入力する操作を行い、制御手段１１５が、入力された数値を受け付ける。
【００５６】
次に、指定された目盛り表示位置と入力された数値とに基づいて目盛り情報を生成する（Ｓ７０８）。目盛り情報を生成する際、未指定の目盛り表示位置に対応した数値は演算して得る。なお、指定された目盛り表示位置がひとつの場合、元の目盛り情報が示す特定の目盛り表示位置（例えば最上位の目盛り表示位置）に元の目盛り情報が示す数値が対応することとして、未指定の目盛り表示位置に対応した数値を算出する。
【００５７】
次に、生成された目盛り情報に基づいて目盛りを表示させる（Ｓ７０９）。具体的には、例えば図２に示すように、生成された目盛り情報が示す複数の目盛り表示位置に目盛りを示すラインを表示するとともに、複数の目盛り表示位置の間にも目盛りのラインを表示する。また、目盛り表示位置に対応した数値を目盛りのラインの横に表示する。
【００５８】
数値入力を続ける場合には、目盛り表示位置の指定を受け付けるステップ（Ｓ７０５）に戻る（Ｓ７１０）。
【００５９】
数値の入力を終了する場合には、選択された元の目盛り情報を生成された新たな目盛り情報によって更新する（Ｓ７１１）。具体的には、操作者が、例えば図３に示すエンターキー３３６を押すことによって目盛り情報を更新する操作を行い、制御手段１１５が、選択された元の目盛り情報を生成された目盛り情報によって更新する。
【００６０】
以上のように、本実施の形態の目盛り可変装置１１０は、目盛りを表示する目盛り表示手段１１１と、目盛りの表示位置情報と目盛りに対応した数値とを含む複数種類の目盛り情報を記憶する記憶手段１１２と、目盛り情報が選択される目盛り情報選択手段１１３と、目盛りにおける任意の位置が指定される位置指定手段１１４と、目盛り情報が選択されたとき、選択された目盛り情報に基づいて目盛り表示手段１１１に目盛りを表示させ、目盛りにおける任意の位置が指定されたとき、指定された位置に対応した数値を決定する制御手段１１５とを備えたので、操作者が用途に応じて目盛りのパターンを容易に切り換えることができ、操作者が意図通りに操作をすることができる。例えば、定格レベル付近等の特定領域において微調整が重要な場合と、定格レベル付近から低レベルまでの広い範囲にわたって調整する必要がある場合とで、操作者が用途に応じて目盛りのパターンを容易に切り換えることができる。
【００６１】
また、本実施の形態の目盛り可変装置１１０は、目盛り定めをするための数値が入力される目盛り定め用数値入力手段１１６を備え、制御手段１１５が、位置指定手段１１４によって指定された目盛り表示位置と目盛り定め用数値入力手段１１６によって入力された数値とに基づいて前記目盛り情報を生成し、記憶手段１１２に登録するようになっているので、操作者が自身の挙動に合わせた目盛りのパターンを用途に応じて容易に作成して登録することができ、したがって、操作者が意図通りに操作をすることができる。
【００６２】
また、本実施の形態の目盛り可変装置１１０は、目盛り表示手段１１１が、目盛り情報選択手段１１３によって選択された目盛り情報に基づいて目盛りを表示し、制御手段１１５が、位置指定手段１１４によって指定された目盛り表示位置と目盛り定め用数値入力手段１１６によって入力された数値とに基づいて目盛り情報を生成し、記憶手段１１２に登録されている目盛り情報を更新するようになっているので、操作者が自身の挙動に合わせた目盛りのパターンを必要に応じて容易に編集することができ、したがって、操作者が意図通りに操作をすることができる。
【００６３】
また、本実施の形態の目盛り可変装置１１０は、前記制御手段１１５が、前記目盛り情報を生成する際、未指定の目盛り表示位置に対応した数値を算出するようになっているので、未指定の目盛り表示位置に対応した数値が演算によって得られるので、操作者は、少ない操作回数で、用途に応じた目盛りのパターンを容易に作成することができる。
【００６４】
（第２の実施の形態）
図８は、本発明の第２の実施の形態の目盛り可変装置を示すブロック図である。図８に示す第２の実施の形態の目盛り可変装置８１０は、図１に示す第１の実施の形態の目盛り可変装置１１０と異なり、目盛り表示手段１１１が表示する画像情報を目盛り表示手段１１１の画面上でペン入力によって入力するペン入力デバイス１１７（画像情報入力手段）を備え、制御手段１１５が、入力された画像情報を目盛り情報に付加し、記憶手段１１２が、画像情報が付加された目盛り情報を記憶するようになっている。なお、目盛り表示手段１１１はタッチパネルになっている。その他の構成については、第１の実施の形態の目盛り可変装置１１０と同じであり、詳細な説明を省略する。
【００６５】
なお、第２の形態の目盛り可変装置８１０において、ペン入力デバイス１１７を数値入力手段として用い、制御手段１１５が、画像認識によって、ペン入力デバイス１１７で手書きされた数字を数値として認識するようにしてもよい。また、制御手段１１５が、ペン入力デバイスで手書きされた数字を予め記憶した数字フォントに置き換え、目盛り表示手段１１１に表示させるようにしてもよい。
【００６６】
以上のように、第２の形態の目盛り可変装置８１０は、目盛り表示手段１１１が表示する画像情報を目盛り表示手段１１１の画面上で入力するペン入力デバイス１１７を備えたので、目盛りとともに表示する画像を操作者が入力することができる。また、ペン入力デバイス１１７を数値入力手段として用いることにより、操作者が手書きで登録用数値を入力することができる。
【００６７】
なお、前述の説明において、図２に示す線形移動のフェーダ２１４を上下することによって操作者が位置指定操作を行う例を示したが、本発明に係る目盛り可変装置は、図２に示す線形移動のフェーダ２１４によって位置指定操作を行うものに限るものではなく、例えば図９に示す円形ボリューム９１４によって位置指定の操作を行うようにしてもよい。図９において、円形ボリューム９１４を回転することに操作者が位置指定操作を行う。また、図９において表示手段９１１は、円形ボリューム９１４の周囲において目盛りおよび目盛りに対応した数値を表示するようになっている。
【００６８】
また、前述の説明において、目盛り情報が、複数の目盛り表示位置をそれぞれ示す表示位置情報と、それぞれの目盛り表示位置に対応した複数の数値とを含む例について説明したが、本発明に係る目盛り可変装置は、このような目盛り情報に限らず、目盛りの表示位置情報と目盛りに対応した数値とをどのように記憶してもよい。例えば、目盛り情報の表示位置情報および数値は、それぞれ基準値と基準値からの差分とで記憶するように構成してもよい。また、例えば、位置指定可能な両端の目盛り表示位置と、特定の目盛り表示位置とにおいてのみ表示位置情報と数値とを記憶するように構成してもよい。
【００６９】
また、前述の説明において、音量を調整する例について説明したが、本発明に係る目盛り可変装置は、このような用途に限らず、例えば、光量を調整する用途や、映像の輝度を調整する用途など様々な用途に用いられる。
【００７０】
【発明の効果】
本発明は、操作者が意図通りに操作をすることができるという優れた効果を有する目盛り可変装置および目盛り可変方法を提供する。
【図面の簡単な説明】
【図１】本発明の第１の実施の形態の目盛り可変装置を示すブロック図
【図２】本発明の第１の実施の形態の目盛り可変装置における目盛り表示手段の第１の例を示す説明図
【図３】本発明の第１の実施の形態の目盛り可変装置における目盛り情報選択手段および目盛り定め用数値入力手段を示す説明図
【図４】本発明の第１の実施の形態の目盛り可変装置における目盛り情報の例を示す説明図
【図５】本発明の第１の実施の形態の目盛り可変装置における目盛り表示処理および数値決定処理を示すフローチャート
【図６】本発明の第１の実施の形態の目盛り可変装置における目盛り情報登録処理を示すフローチャート
【図７】本発明の第１の実施の形態の目盛り可変装置における目盛り情報編集処理を示すフローチャート
【図８】本発明の第２の実施の形態の目盛り可変装置を示すブロック図
【図９】本発明の第１の実施の形態における目盛り表示手段の第２の例を示す説明図
【図１０】従来の固定の目盛りの例を示す説明図
【符号の説明】
１１１、９１１  目盛り表示手段
１１２  記憶手段
１１３  目盛り情報選択手段
１１４、９１４  位置指定手段
１１５  制御手段
１１６  目盛り定め用数値入力手段
１１７  ペン入力デバイス（画像情報入力手段）
【図１】
0004212818.tif 000002
【図２】
0004212818.tif 000003
【図３】
0004212818.tif 000004
【図４】
0004212818.tif 000005
【図５】
0004212818.tif 000006
【図６】
0004212818.tif 000007
【図７】
0004212818.tif 000008
【図８】
0004212818.tif 000009
【図９】
0004212818.tif 000010
【図１０】
0004212818.tif 000011